(57)【要約】【課題】  簡易な構成で、鉗子チャンネル内において処置具を搬送する操作が短時間ででき、手技の容易化を可能とする。【解決手段】  体腔内に挿入される挿入部１１と、該挿入部１１を操作するための操作部１４と、一端が挿入部１１の先端に開口する先端開口部１２ａと、他端が操作部１４の近傍に開口する鉗子口１８に接続される第１のチャンネルと、該第１のチャンネルに挿入される処置具２０とを備えた内視鏡１において、鉗子口１８の近傍から挿入部１１の先端にかけて設けた第２のチャンネルと、該第２のチャンネルの基端から挿入され、挿入部１１の先端で折り返され第１のチャンネルに挿入される操作ワイヤと、該操作ワイヤの先端に設けられた処置具２０の先端近傍に係合される係合部材と、操作ワイヤの基端に設けられた処置具進退操作部とを備える内視鏡を提供する。【選択図】      図２
2005270420.tif 000002
【特許請求の範囲】
【請求項１】
体腔内に挿入される挿入部と、該挿入部を操作するための操作部と、
一端が前記挿入部の先端に開口する先端開口部を有するとともに、他端が前記操作部の近傍に開口する鉗子口に接続される第１のチャンネルと、
該第１のチャンネルに挿入される処置具とを備えた内視鏡において、
前記鉗子口の近傍から前記挿入部の先端にかけて設けた第２のチャンネルと、
該第２のチャンネルの基端から挿入され、前記挿入部の先端で折り返され前記第１のチャンネルに挿入される操作ワイヤと、
該操作ワイヤの先端に設けられ、前記処置具の先端近傍に係合される係合部材と、
前記操作ワイヤの基端に設けられた処置具進退操作部とを備えることを特徴とする内視鏡。
【請求項２】
前記操作ワイヤが、前記係合部材を有する第１のワイヤ部と前記処置具進退操作部を有する第２のワイヤ部とに分かれ、
前記第１のワイヤ部の基端側が巻回される第１の回転部材と、
前記第２のワイヤ部の先端側が巻回され、前記第２のワイヤ部を前記第２のチャンネル内に巻き取る回転方向に付勢する第２の回転部材と、
該第２の回転部材が前記第２のワイヤ部を前記第２のチャンネルの基端側から引っ張った際に、前記第１の回転部材が前記第２の回転部材に連動して同一方向に回転し、前記第２の回転部材が前記第２のワイヤ部を巻き取る方向に回転するときは、前記第１の回転部材の同一方向への回転を規制させる係止部とを備えていることを特徴とする請求項１に記載の内視鏡。
【請求項３】
内視鏡に形成された鉗子チャンネル内で処置具を進退させる内視鏡用処置具挿抜装置において、
前記内視鏡の先端部に着脱可能とされたフードと、
前記鉗子チャンネルの基端から挿入され、前記フードで折り返され前記鉗子チャンネルに挿入される操作ワイヤと、
該操作ワイヤの先端に設けられた前記処置具の先端近傍に係合される係合部材と、
前記操作ワイヤの基端に設けられた処置具進退操作部と、
前記鉗子チャンネルに挿通された鉗子口に設けられた鉗子栓または鉗子栓近傍に着脱可能に設けられた固定部材と、
前記フードに先端が固定されているとともに前記固定部材に基端側が固定され、前記鉗子チャンネル先端で折り返えされた前記処置具進退操作部側の前記操作ワイヤを挿通させる挿通管とを備えていることを特徴とする内視鏡用処置具挿抜装置。
【請求項４】
前記固定部材に、前記係合部材に前記処置具を取り付ける際、前記処置具を支持する支持台が設けられていることを特徴とする請求項３に記載の内視鏡用処置具挿抜装置。
【発明の詳細な説明】
【技術分野】
【０００１】
本発明は、内視鏡を介して体腔内に挿入される処置具を挿抜可能な内視鏡に関するものである。
【背景技術】
【０００２】
一般に、内視鏡を用いて体外からの操作で体内の所要部位の処置や生体組織の検査等を行う際に、例えば、針状メスや把持鉗子等の複数の処置具を連続して使用することがある。このような場合、従来は、内視鏡の挿入部内に設けられた鉗子チャンネルを通じて選択した処置具を体内に挿入し、所定の処置を行った後は処置具を体外に引き出し、再度鉗子をチャンネルに挿入する等の操作を行っていた。
【０００３】
そのため、体腔内の患部等の生体組織を観察する内視鏡に用いられる処置具として、内視鏡に形成された鉗子口を介して体腔内に挿入された鉗子等の処置具を自動時に挿入，抜脱しかつその挿入量を制御する装置を備えたものが提案されている。（例えば、特許文献１参照。）。
この特許文献１に記載の内視鏡は、内視鏡側の操作部に設けられマイクロモータの回転軸に固着された２つのギアと、このギアに軸着されたドラムと、駆動回路を介してマイクロモータを制御するモータ駆動制御部とを備えている。そして、マイクロモータの駆動により、マイクロモータが励磁され回転駆動すると、ギアが回転するため、ドラムの間に処置具を挿入することにより、鉗子チャンネル内において処置具を搬送させるものである。
【特許文献１】特開昭５７−１１７８２３号公報（第１図等）
【発明の開示】
【発明が解決しようとする課題】
【０００４】
しかしながら、特許文献１に記載の内視鏡では、マイクロモータ及びモータ駆動回路等の制御部が必要となり、部品数が増加してしまい、簡易な構成とすることが困難であった。
本発明は上述した事情に鑑みてなされたものであって、簡易な構成で、鉗子チャンネル内において処置具を搬送する操作が短時間ででき、手技の容易化を可能とする内視鏡を提供することを目的とする。
【課題を解決するための手段】
【０００５】
上記目的を達成するために、本発明は、以下の手段を提供する。
本発明の内視鏡は、体腔内に挿入される挿入部と、該挿入部を操作するための操作部と、一端が前記挿入部の先端に開口する先端開口部を有するとともに、他端が前記操作部の近傍に開口する鉗子口に接続される第１のチャンネルと、該第１のチャンネルに挿入される処置具とを備えた内視鏡において、前記鉗子口の近傍から前記挿入部の先端にかけて設けた第２のチャンネルと、該第２のチャンネルの基端から挿入され、前記挿入部の先端で折り返され前記第１のチャンネルに挿入される操作ワイヤと、該操作ワイヤの先端に設けられ、前記処置具の先端近傍に係合される係合部材と、前記操作ワイヤの基端に設けられた処置具進退操作部とを備えることを特徴としている。
【０００６】
この発明では、操作ワイヤの先端に設けられた係合部材に処置具を装着した後、処置具進退操作部を第２のチャンネルの基端側に引っ張ることによって、操作ワイヤが第１のチャンネルから第２のチャンネルへ移動し、処置具が先端開口部へ搬送される。したがって、処置具を先端開口部へ搬送させる際、従来のようにモータや制御部などの装置を備える必要がなくなり、簡易な構成で、容易に処置具を進退させることができる。
【０００７】
また、本発明の内視鏡は、前記操作ワイヤが、前記係合部材を有する第１のワイヤ部と前記処置具進退操作部を有する第２のワイヤ部とに分かれ、前記第１のワイヤ部の基端側が巻回される第１の回転部材と、前記第２のワイヤ部の先端側が巻回され、前記第２のワイヤ部を前記第２のチャンネル内に巻き取る回転方向に付勢する第２の回転部材と、該第２の回転部材が前記第２のワイヤ部を前記第２のチャンネルの基端側から引っ張った際に、前記第１の回転部材が前記第２の回転部材に連動して同一方向に回転し、前記第２の回転部材が前記第２のワイヤ部を巻き取る方向に回転するときは、前記第１の回転部材の同一方向への回転を規制させる係止部とを備えていることを特徴としている。
【０００８】
この発明では、第１のワイヤ部に設けられた係合部材に処置具を装着した後、操作者が処置具進退操作部を第２のチャンネルの基端側に引っ張ることによって、第２の回転部材が回転する。この回転に伴って第１の回転部材も回転し、第１のワイヤ部が第１の回転部材に巻回されるとともに、処置具が先端開口部の方向に移動する。次いで、操作者が処置具進退操作部を引っ張る力を緩めると、第２の回転部材が第２のワイヤ部を巻き取る方向に付勢され、第１の回転部材は第２の回転部材との同一方向への回転が規制されているので、第２の回転部材のみが回転し、第２のワイヤ部が第２の回転部材に巻回される。したがって、この動作を繰り返すことにより、処置具を先端開口部へ搬送させることが可能となる。すなわち、第１，第２の回転部材を備えることにより、第２のワイヤ部を第２のチャンネルの基端側へ引っ張る際に、第２のワイヤ部が第２のチャンネル内に戻され第２の回転部材に巻回される。これによって、第２のチャンネルから露出する第２のワイヤ部が短くなり、操作性の向上を図ることができる。
【０００９】
本発明の内視鏡用処置具挿抜装置は、内視鏡に形成された鉗子チャンネル内で処置具を進退させる内視鏡用処置具挿抜装置において、前記内視鏡の先端部に着脱可能とされたフードと、前記鉗子チャンネルの基端から挿入され、前記フードで折り返され前記鉗子チャンネルに挿入される操作ワイヤと、該操作ワイヤの先端に設けられた前記処置具の先端近傍に係合される係合部材と、前記操作ワイヤの基端に設けられた処置具進退操作部と、前記鉗子チャンネルに挿通された鉗子口に設けられた鉗子栓または鉗子栓近傍に着脱可能に設けられた固定部材と、前記フードに先端が固定されているとともに前記固定部材に基端側が固定され、前記鉗子チャンネル先端で折り返えされた前記処置具進退操作部側の前記操作ワイヤを挿通させる挿通管とを備えていることを特徴としている。
【００１０】
この発明では、まず、フードを内視鏡先端部に装着し、固定部材を鉗子栓または鉗子栓近傍に装着する。そして、操作ワイヤの先端に設けられた係合部材に処置具を装着し、操作ワイヤの他端に設けられた処置具進退操作部を鉗子チャンネルの基端側に引っ張る。これによって、係合部材が鉗子チャンネル内を搬送されるとともに処置具が挿通管の先端側へ搬送させることが可能となる。この場合において、内視鏡に内視鏡用処置具挿抜装置を取り付けることにより、簡単に処置具の搬送を可能とする内視鏡にすることができる。
【００１１】
また、本発明の内視鏡用処置具挿抜装置は、前記固定部材に、前記係合部材に前記処置具を取り付ける際、前記処置具を支持する支持台が設けられていることを特徴としている。
この発明では、固定部材に支持台が設けられているので、係合部材に処置具を着脱する際、支持台に係合部材を支持させながら作業を行うことができる。したがって、処置具の着脱作業が容易になるため、着脱時間の短縮化を図ることが可能となる。
【発明の効果】
【００１２】
本発明に係る内視鏡及び内視鏡用処置具挿抜装置によれば、操作ワイヤに設けられた処置具進退操作部を引っ張ることによって処置具を進退させることができる。したがって、簡単な手技により内視鏡に処置具を挿抜することができるため、手技の容易化を図ることが可能となる。
【発明を実施するための最良の形態】
【００１３】
以下、本発明の第１実施形態に係る内視鏡について図１から図３を参照して説明する。
本実施形態に係る内視鏡処置システム１は、図１に示すように、体腔内へ挿入される細長の内視鏡挿入部（挿入部）１１を有しており、これは、硬質の内視鏡先端部１２と、この内視鏡先端部１２の基端に設けられた湾曲自在の湾曲部１３と、この湾曲部１３の後端から内視鏡操作部（操作部）１４まで伸びる長尺の可撓部１５とから構成されている。また、湾曲部１３は、内視鏡操作部１４に設けられた湾曲操作ノブ１６を操作することにより、上下、左右における任意の方向に湾曲することができるようになっている。また、前記内視鏡操作部１４には、ユニバーサルコード１７が延出されており、図示しない内視鏡本体と接続されている。また、内視鏡挿入部１１の内部には、体腔内の処置を行う処置具２０を搬送させる処置具搬送機構３０が設けられている。
【００１４】
前記処置具搬送機構３０は、図２示すように、内視鏡操作部１４に設けられた鉗子口１８から内視鏡先端部１２に開口する先端開口部１２ａにかけて、処置具２０を進退させるものである。この処置具搬送機構３０は、図３及び図４に示すように、一端が内視鏡先端部１２に開口する先端開口部１２ａを有し、かつ他端が内視鏡操作部１４に開口する鉗子口１８に接続されるとともに、内部に処置具を挿通可能な第１のチャンネル３１と、鉗子口１８の近傍から内視鏡挿入部１１の先端にかけて設けた第２のチャンネル３２と、この第２のチャンネル３２の基端３２ａから挿入されるとともに、内視鏡先端部１２に設けられ回転自在なプーリ３３で折り返され第１のチャンネル３１に挿入される操作ワイヤ３４とを備えている。また、操作部ワイヤは、処置具２０の先端に係合される係合部材３５を有する第１のワイヤ部３４ａと、リング状のハンドル部（処置具進退操作部）３６を有する第２のワイヤ部３４ｂとに分かれている。
【００１５】
また、処置具２０は、図１及び図４に示すように、鉗子口１８から第１のチャンネル３１内に挿通される可撓性の挿入部２１と、この挿入部２１の先端２１ａに接続された鉗子部２２と、挿入部２１の基端２１ｂに接続されて鉗子部２２を操作する操作部２３とを備えている。
前記係合部材３５には、図４に示すように、支持板３５ａに垂直に設けられた切欠け部３５ｂが形成されている。また、挿入部２１が鉗子部２２より小さい外径になっているため、切欠け部３５ｂが、挿入部２１と鉗子部２２との接続部にあたる挿入部２１の先端２１ａにおいて係止可能となっている。
【００１６】
さらに、処置具搬送機構３０には、操作ワイヤ３４を巻き取るラチェット機構４０が設けられており、開口部４１ａを有し第２のチャンネル３２の基端３２ａに設けられた支持部材４１に備えられている。このラチェット機構４０は、Ａ方向に回転したとき、第１のワイヤ部３４ａの一端側が巻回される第１の回転部材４２と、Ｂ方向に回転したとき、第２のワイヤ部３４ｂの一端側が巻回される第２の回転部材４４と、第１の回転部材４２及び第２の回転部材４４を回転自在に支持し、支持部材４１に対し回転不能に取り付けられた支軸４５と、支軸４５の外周面に配され、第１の回転部材４２及び第２の回転部材４４を近接する方向に付勢されたコイルスプリング４６と、第２の回転部材４４をＢ方向の回転に付勢するうず巻きバネ４３を収納し、第２の回転部材４４と一体的に回転するように第２の回転部材４４に接合されたバネケース４７と、このバネケース４７の外周面に沿って設けられた凹部４７ａに嵌合し、バネケース４７と相対回転可能な移動部材４８とを備えている。また、うず巻きバネ４３は、一端が支軸４５に接合され、他端がバネケース４７の内周面に接合されており、第２のワイヤ部３４ｂを第２のチャンネル３２内に巻き取る回転方向に付勢するように配されている。
【００１７】
第１の回転部材４２は、第２の回転部材４４に対向する側壁面４２ａに、図５に示すように、孔４２ｂが支軸４５を中心として放射状に等間隔に形成されている（例えば、8個）。また、第２の回転部材４４は、第１の回転部材４２に対向する側壁面４４ａに、この側壁面４４ａに対して傾斜して配された係止爪４４ｂが設けられており、孔４２ｂと係止爪４４ｂとが係合可能となっている。また、第１の回転部材４２は、ストッパ（図示略）により支軸４５に沿うＣ方向の移動が可能であり、Ｄ方向の移動が規制されているため、一定の位置で回転可能となっている。これらにより、第２の回転部材４４が第２のワイヤ部３４ｂを第２のチャンネル３２の基端３２ｂ側から引っ張った際に、第１の回転部材４２が第２の回転部材４４に連動して同一方向に回転する。また、係止爪４４ｂの傾斜角度とコイルスプリング４６の弾性力とが、第２の回転部材４４が第２のワイヤ部３４ｂを巻き取る方向に回転するとき、第２の回転部材４４に対して第１の回転部材４２の同一方向への回転を規制させるように形成されている。すなわち、孔４２ｂ及び係止爪４４ｂは係合部を構成し、これにより、第２の回転部材４４がＡ方向に回転する場合、それに追従して第１の回転部材４２はＡ方向に回転する。一方、第２の回転部材４４がＢ方向に回転する場合、第２の回転部材４４のみがＢ方向に回転し、第１の回転部材４２は回転しないようになっている。
【００１８】
前記支持部材４１の開口部４１ａの内周面には、一定のリードのめねじ４９が形成されている。また、移動部材４８の外周面には、めねじ４９に螺合するおねじ５０が形成されている。すなわち、移動部材４８をＡ方向に回転させることによって、図６に示すように、第２の回転部材４４がＣ方向に移動して、孔４２ｂと係止爪４４ｂとが係合し、また、移動部材４８をＢ方向に回転させることによって、第２の回転部材４４がＤ方向に移動し、孔４２ｂと係止爪４４ｂとの係合が外れるようになっている。
【００１９】
次に、以上の構成からなる本実施形態の内視鏡の使用方法について、以下に説明する。
まず、内視鏡挿入部１１を体腔内に挿入した後、図４（ａ）に示すように、係合部材３５の切欠け部３５ｂを処置具２０の挿入部２１の先端２１ａに取り付け、図８（Ａ）に示すように、鉗子口１８から第１のチャンネル３１に処置具２０を挿入する。このとき、図８（Ｂ）に示すように、第２の回転部材４４には第２のワイヤ部３４ｂが巻回されている。そして、図９（Ａ）に示すように、操作者が第２のワイヤ部３４ｂのハンドル部３６を第２のチャンネル３２の基端３２ｂ側から外部に引っ張ると、処置具２０の鉗子部２２が先端開口部１２ａから突出する。すなわち、第２の回転部材４４がＡ方向に回転し、この回転に追従して第１の回転部材４２もＡ方向に回転する。これにより、図９（Ｂ）に示すように、第１のワイヤ部３４ａがプーリ３３を介して第１の回転部材４２に巻回されて、第２のワイヤ部３４ｂが第２のチャンネル３２の基端３２ｂ側から外部に露出する。
【００２０】
次いで、操作者が手を離すと、うず巻きバネ４３の弾性力により、図１０（Ｂ）に示すように、第２の回転部材４４が第２のワイヤ部３４ｂを巻き取る方向に回転し、図１０（Ａ）に示すように、ハンドル部３６は第２のチャンネル３２の近傍に位置する。この状態で、操作部２３を操作し、鉗子部２２の開閉を行い、体腔内の患部の観察及び処置を行う。進退させるときは、そのまま挿入部２１を操作すれば良く、処置具搬送機構３０の解除などの操作の必要はない。そして、患部等の処置が終了した場合、鉗子部２２を閉じた状態で、移動部材４８をＢ方向に回転させることにより、図１１（Ｂ）に示すように、第２の回転部材４４がＤ方向に移動し、孔４２ｂと係止爪４４ｂとの係合が外される。このように、第１の回転部材４２から第２の回転部材４４を離間させた後、処置具２０を第１のチャンネル３１の基端側から引っ張ると、ラチェット機構４０の係合が解除されているため、第１の回転部材４２のみが回転する。これにより、図１１（Ａ）に示すように、処置具２０が第１のチャンネル３１の基端側に移動し、係合部材３５から処置具２０を外す。
【００２１】
すなわち、本実施形態に係る内視鏡１によれば、処置具搬送機構３０を備えることにより、処置具２０を先端開口部１２ａへ搬送させる際、従来のようにモータや制御部などの装置を備える必要がなくなり、簡易な構成で、容易に第１のチャンネル３１の内視鏡先端部１２側に処置具２０を挿抜させることができる。また、ラチェット機構４０を備えることにより、第２のワイヤ部３４ｂを第２のチャンネル３２の基端３２ａ側へ引っ張る際に、第２のワイヤ部３４ｂが第２のチャンネル３２内に戻され第２の回転部材４４に巻回される。これによって、第２のチャンネル３２から露出する第２のワイヤ部３４ｂが短くなり、操作性の向上を図ることができる。
【００２２】
次に、本発明の第２実施形態に係る内視鏡用挿抜装置について図１２から図１４を参照して説明する。なお、以下に説明する各実施形態において、上述した第１実施形態に係る内視鏡１と構成を共通とする箇所には同一符号を付けて、説明を省略することにする。
本実施形態に係る内視鏡用挿抜装置６０において、第１実施形態と異なる点は、内視鏡１として内視鏡挿入部１１の内部に第１のチャンネル３１と、第２のチャンネル３２とを設けたが、これに代えて、鉗子チャンネル６１を備えた内視鏡７０に着脱可能な点である。
【００２３】
本実施形態に係る内視鏡用挿抜装置６０は、図１２及び図１３に示すように、内視鏡７０に取り付けて内視鏡７０に形成された鉗子チャンネル６１内で処置具２０を進退させるものであり、内視鏡先端部１２に着脱可能とされたフード６４と、このフード６４に回転自在に設けられたプーリ６２と、このプーリ６２に巻回されて鉗子チャンネル６１内に折り返して配された操作ワイヤ６３と、鉗子チャンネル６１に挿通された鉗子口１８に設けられた鉗子栓６５に着脱可能に設けられた固定部材６６と、フード６４に先端が固定されているとともに固定部材６６に基端側が固定され、鉗子チャンネル６１先端で折り返えされたハンドル部３６側の操作ワイヤ６３を挿通させる挿通管６７とを備えている。また、フード６４はパイプ状部材になっており、鉗子部２２は挿通孔６４ａから外部へ突出可能となっている。
【００２４】
前記操作ワイヤ６３は、一端に設けられ処置具２０の先端側を取り付け可能で鉗子チャンネル６１内に挿通可能な係合部材３５と、他端に設けられ鉗子チャンネル１０の基端側から外部に配されたハンドル部（処置具進退操作部）３６とを備えている。
前記固定部材６６には、処置具２０を支持する支持台６８が設けられている。この支持台６８には、図１４に示すように、処置具２０の鉗子部２２を載置する凹部６８ａと、挿入部２１をスライド可能なレール６８ｂとが形成されている。
【００２５】
次に、以上の構成からなる本実施形態の内視鏡用挿抜装置６０の使用方法について、以下に説明する。
まず、内視鏡先端部１２にフード６４を、鉗子栓６５に固定部材６６をそれぞれ取り付け、係合部材３５を支持台６８に設置し、挿通管６７を内視鏡先端部１２に粘着テープなどで、ところどころ固定して、内視鏡７０の挿入部１１を体腔内に挿入する。挿入した後、挿入部２１をレール６８ｂに嵌め込む。この状態で、係合部材３５の切欠け部３５ｂを処置具２０の挿入部２１の先端２１ａに取り付ける。そして、ハンドル部３６を鉗子チャンネル６１の鉗子口１８から外部に引っ張る。これにより、操作ワイヤ６３がプーリ６２に巻回されて、操作ワイヤ６３は挿通管６７内から固定部材６６側へ移動され、この操作ワイヤ６３の移動に伴い処置具２０が内視鏡先端部１２方向に移動され、鉗子部２２を内視鏡先端部１２から突出させる。
次に、患部等の処置が終了した場合、処置具２０を鉗子口１８側から外部へ引っ張ることにより、操作ワイヤ６３はプーリ６２を介して鉗子口１８側へ移動される。これによって、処置具２０が固定部材６６まで移動され、処置具２０を支持台６８に支持し、係合部材３５から処置具を外す。
【００２６】
すなわち、本実施形態に係る内視鏡用挿抜装置６０によれば、プーリ６２を介して処置具２０が鉗子チャンネル６１の先端側へ搬送することが可能となる。また、内視鏡７０に内視鏡用挿抜装置６０を取り付けることにより、簡単に処置具２０の搬送を可能とする内視鏡にすることができる。また、固定部材６６に支持台６８が設けられているので、係合部材３５に処置具２０を着脱する際、支持台６８に係合部材３５を支持しながら作業を行うことができる。したがって、処置具３０の着脱作業が容易になるため、着脱時間の短縮化を図ることが可能となる。
【００２７】
なお、本実施形態において、固定部材３５を鉗子栓６５に着脱可能とさせたが、これに代えて、鉗子栓６５近傍であれば良く、例えば、操作部１４に着脱可能とさせても良い。また、上記各実施形態において、処置具２０として鉗子部２２を用いたが、これに限るものではなく、例えば、スネア等のようなものでも構わない。
また、本発明の技術範囲は上記各実施の形態に限定されるものではなく、本発明の趣旨を逸脱しない範囲において種々の変更を加えることが可能である。
【図面の簡単な説明】
【００２８】
【図１】本発明の第１実施形態に係る内視鏡を示す平面図である。
【図２】本発明の第１実施形態に係る内視鏡を示す平面図である。
【図３】図１の内視鏡の（ａ）は先端部を示す断面図であり、（ｂ）は鉗子口側の第１，２のチャンネルを示す要部断面図である。
【図４】本発明の第１実施形態に係る内視鏡の係合部材に処置具を装着した状態を示す（ａ）は側面図であり、（ｂ）は平面図である。
【図５】本発明の第１実施形態に係る内視鏡のラチェット機構を示す斜視図である。
【図６】図５のラチェット機構を示す要部断面図である。
【図７】図５のラチェット機構のバネケースを示す側面図である。
【図８】本発明の第１実施形態に係る内視鏡を示す（ａ）は平面図であり、（ｂ）はラチェット機構を示す平面図である。
【図９】本発明の第１実施形態に係る内視鏡を示す（ａ）は平面図であり、（ｂ）はラチェット機構を示す平面図である。
【図１０】本発明の第１実施形態に係る内視鏡を示す（ａ）は平面図であり、（ｂ）はラチェット機構を示す平面図である。
【図１１】本発明の第１実施形態に係る内視鏡を示す（ａ）は平面図であり、（ｂ）はラチェット機構を示す平面図である。
【図１２】本発明の第２実施形態に係る内視鏡用挿抜装置を示す平面図である。
【図１３】図１２の内視鏡用挿抜装置を内視鏡に装着した状態を示す要部断面図である。
【図１４】図１２の支持台を示す拡大斜視図である。
【符号の説明】
【００２９】
１，７０  内視鏡
１１  挿入部
１４  内視鏡操作部（操作部）
１２ａ  先端開口部
１８  鉗子口
２０  処置具
２１  可動部
３１  第１のチャンネル
３２  第２のチャンネル
３２ａ  第２のチャンネルの基端
３４，６３  操作ワイヤ
３４ａ  第１のワイヤ部
３４ｂ  第２のワイヤ部
３５  係合部材
３６  ハンドル部（処置具進退操作部）
４２  第１の回転部材
４４  第２の回転部材
４２ｂ  孔（係止部）
４４ｂ  係止爪（係止部）
６０  内視鏡用挿抜装置
６４  フード
６５  鉗子栓
６６  固定部材
６７  挿通管
６８  支持台
【図１】
2005270420.tif 000003
【図２】
2005270420.tif 000004
【図３】
2005270420.tif 000005
【図４】
2005270420.tif 000006
【図５】
2005270420.tif 000007
【図６】
2005270420.tif 000008
【図７】
2005270420.tif 000009
【図８】
2005270420.tif 000010
【図９】
2005270420.tif 000011
【図１０】
2005270420.tif 000012
【図１１】
2005270420.tif 000013
【図１２】
2005270420.tif 000014
【図１３】
2005270420.tif 000015
【図１４】
2005270420.tif 000016